(57)【要約】【課題】  数字専用の表示桁数以上の数値を、情報の種類とともに表示可能にする。【解決手段】  記憶手段６１に、５行５列のドットマトリクス内に第１表示データである所定の文字「Ｓ」又は「Ｌ」と数字の「１」とを並べて同時に「Ｓ１」又は「Ｌ１」として表示するための第２表示データを記憶させ、演算手段４３が演算した数値が、２桁以下のときには、第１表示部に前記第１表示データを表示するとともに、演算手段４３が演算した数値を第２表示部２１ｂに表示し、演算手段４３が演算した数値が、２桁を超えて桁上げされたときには、第１表示部２１ａに「Ｓ１」又は「Ｌ１」を表示するとともに、演算手段４３が演算した最上位の１桁を除く２桁の数値「００」を第２表示部２１ｂに表示させるように表示駆動手段６０を制御する表示制御手段５０を設けた。【選択図】      図４
2009198907.tif 000002
【特許請求の範囲】
【請求項１】
Ｍ行Ｎ列のドットマトリクスで構成される第１表示部と、該第１表示部の右側に並べて配置し、所定桁数の数字を表示可能な第２表示部とを有する表示手段と、前記第２表示部に表示する数値を演算する演算手段と、前記Ｍ行Ｎ列のドットマトリクスを用いて所定の文字を表示するための第１表示データを記憶する記憶手段と、前記表示手段を駆動する表示駆動手段とを有し、前記第１表示部に前記所定の文字を表示すると同時に前記第２表示部に前記演算手段が演算した数値を表示する表示装置であって、前記記憶手段に、さらに、前記Ｍ行Ｎ列のドットマトリクス内に前記所定の文字と数字の１とを並べて同時に表示するための第２表示データを記憶させ、前記演算手段が演算した数値が、前記所定桁数以下のときには、前記第１表示データを前記第１表示部に表示するとともに、前記演算手段が演算した数値を前記第２表示部に表示し、前記演算手段が演算した数値が、前記所定桁数を超えて桁上げされたときには、前記第２表示データを前記第１表示部に表示するとともに、前記演算手段が演算した最上位桁を除く前記所定桁数分の数値を前記第２表示部に表示させるように前記表示駆動手段を制御する表示制御手段を設けたことを特徴とする表示装置。
【請求項２】
前記第２表示部は、行の数が前記第１表示部と同数のＭであり、列の数が所定の数で構成される１又は複数のドットマトリクスで構成されていることを特徴とする請求項１に記載の表示装置。
【請求項３】
前記Ｎは５であり、前記第１表示データは、Ｍ行４列又はＭ行５列のドットマトリクスで前記所定の文字を表したデータであり、前記第２表示データは、Ｍ行３列のドットマトリクスで表した所定の文字と、Ｍ行１列のドットマトリクスで表したスペースと、Ｍ行１列のドットマトリクスで表した数字の１とを左側から順次並べたデータであることを特徴とする請求項１又は請求項２のいずれかに記載の表示装置。
【請求項４】
前記表示装置は、さらに、外部操作部材を有し、前記演算手段は、前記外部操作部材による所定の操作が行われたときの操作回数を演算する演算手段であり、前記演算手段の計数値を前記第２表示部に表示することを特徴とする請求項１乃至請求項３のいずれか１項に記載の表示装置。
【請求項５】
前記表示装置は、さらに、所定の情報を計測する計測手段と、前記外部操作部材によって前記所定の操作が行われたときに前記計測手段が計測した計測値と、前記演算手段が演算した操作回数とを対応付けて記憶する記憶手段と、前記計測値を表示する計測値表示部とを有することを特徴とする請求項４に記載の表示装置。
【請求項６】
前記表示装置は、前記第１表示部及び前記第２表示部で、前記演算手段が演算した前記操作回数以外の情報を表示するモードを有することを特徴とする請求項１乃至請求項５のいずれか１項に記載の表示装置。
【請求項７】
請求項１乃至請求項６のいずれか１項に記載の表示装置を用いたことを特徴とする電子時計。
【発明の詳細な説明】
【技術分野】
【０００１】
本発明は、電子時計等の表示装置に関し、ドットマトリクス形式の表示部を有する光学的表示手段を用いた表示装置に関するものである。
【背景技術】
【０００２】
従来のデジタル電子腕時計の表示装置としては、キャラクターをドットマトリクス形式で表示するドットマトリクス形式の光学的表示手段において、限られた表示スペースの中で、できるだけ多くの情報を表示したいから、１キャラクターに対するドット数をできるだけ少なくして構成する必要があった。このような背景の中で、従来横５×縦５ドットで数字やアルファベットの一文字を表示していたものを、横３×縦５ドットで表示できるようにしたものがあった（例えば、特許文献１参照。）。また、ドットマトリクス表示部において、２桁の数字で表される複数の区間情報（「０１」、「０２」、「０３」）と、各区間の目標ラップタイム、目標スプリットタイムとを設定して表示するクロノグラフ機能付きの腕時計があった（例えば、特許文献２参照。）。
【特許文献１】特開２００２−６０６８号公報（段落００１８、図３）
【特許文献２】特開平９−１４５８６３号公報（段落００５１〜００５２及び図７）
【発明の開示】
【発明が解決しようとする課題】
【０００３】
しかし、従来のストップウォッチで表示可能な区間数は、ドットマトリクス表示部の表示桁数に制限されていた。例えば、表示桁数が２桁である場合は、００から９９までの区間までしか表示できなかった。
【０００４】
本発明は、このような従来の問題を解決するためになされたものであり、その目的は、情報の種類等を表す文字とともに数字を表示する表示装置において、数字を表示する桁数以上の数字を表示可能とすることである。
【課題を解決するための手段】
【０００５】
前述した目的を達成するための本発明の手段は、Ｍ行Ｎ列のドットマトリクスで構成される第１表示部と、該第１表示部の右側に並べて配置し、所定桁数の数字を表示可能な第２表示部とを有する表示手段と、前記第２表示部に表示する数値を演算する演算手段と、前記Ｍ行Ｎ列のドットマトリクスを用いて所定の文字を表示するための第１表示データを記憶する記憶手段と、前記表示手段を駆動する表示駆動手段とを有し、前記第１表示部に前記所定の文字を表示すると同時に前記第２表示部に前記演算手段が演算した数値を表示する表示装置であって、前記記憶手段に、さらに、前記Ｍ行Ｎ列のドットマトリクス内に前記所定の文字と数字の１とを並べて同時に表示するための第２表示データを記憶させ、前記演算手段が演算した数値が、前記所定桁数以下のときには、前記第１表示データを前記第１表示部に表示するとともに、前記演算手段が演算した数値を前記第２表示部に表示し、前記演算手段が演算した数値が、前記所定桁数を超えて桁上げされたときには、前記第２表示データを前記第１表示部に表示するとともに、前記演算手段が演算した最上位桁を除く前記所定桁数分の数値を前記第２表示部に表示させるように前記表示駆動手段を制御する表示制御手段を設けたことを特徴とする。
【０００６】
また、前記第２表示部は、行の数が前記第１表示部と同数のＭであり、列の数が所定の数で構成される１又は複数のドットマトリクスで構成されていることを特徴とする。
【０００７】
また、前記Ｎは５であり、前記第１表示データは、Ｍ行４列又はＭ行５列のドットマト
リクスで前記所定の文字を表したデータであり、前記第２表示データは、Ｍ行３列のドットマトリクスで表した所定の文字と、Ｍ行１列のドットマトリクスで表したスペースと、Ｍ行１列のドットマトリクスで表した数字の１とを左側から順次並べたデータであることを特徴とする。
【０００８】
また、前記表示装置は、さらに、外部操作部材を有し、前記演算手段は、前記外部操作部材による所定の操作が行われたときの操作回数を演算する演算手段であり、前記演算手段の計数値を前記第２表示部に表示することを特徴とする。
【０００９】
また、前記表示装置は、さらに、所定の情報を計測する計測手段と、前記外部操作部材によって前記所定の操作が行われたときに前記計測手段が計測した計測値と、前記演算手段が演算した操作回数とを対応付けて記憶する記憶手段と、前記計測値を表示する計測値表示部とを有することを特徴とする。
【００１０】
また、前記表示装置は、前記第１表示部及び前記第２表示部で、前記演算手段が演算した前記操作回数以外の情報を表示するモードを有することを特徴とする。
また、表示装置を電子時計に用いたことを特徴とする。
【発明の効果】
【００１１】
以上説明したように、本発明によれば、Ｍ行Ｎ列のドットマトリクスで構成される第１表示部と、該第１表示部の右側に並べて配置し、所定桁数の数字を表示可能な第２表示部とを有する表示手段と、前記第２表示部に表示する数値を演算する演算手段と、前記Ｍ行Ｎ列のドットマトリクスを用いて所定の文字を表示するための第１表示データを記憶する記憶手段と、前記表示手段を駆動する表示駆動手段とを有し、前記第１表示部に前記所定の文字を表示すると同時に前記第２表示部に前記演算手段が演算した数値を表示する表示装置であって、前記記憶手段に、さらに、前記Ｍ行Ｎ列のドットマトリクス内に前記所定の文字と数字の１とを並べて同時に表示するための第２表示データを記憶させ、前記演算手段が演算した数値が、前記所定桁数以下のときには、前記第１表示データを前記第１表示部に表示するとともに、前記演算手段が演算した数値を前記第２表示部に表示し、前記演算手段が演算した数値が、前記所定桁数を超えて桁上げされたときには、前記第２表示データを前記第１表示部に表示するとともに、前記演算手段が演算した最上位桁を除く前記所定桁数分の数値を前記第２表示部に表示させるように前記表示駆動手段を制御する表示制御手段を設けたので、数字を表示する表示部の桁数を増やさずに、計測値の種類等を示す所定の文字とともに、数値１を表示させることができる。したがって、前記演算手段が演算した区間番号等を表す数値がそれを表示する表示部の桁数以上に桁上げされたときにも、これに対応して表示させることができるという効果を有する表示装置を提供することができた。
【００１２】
また、前記第２表示部は、行の数が前記第１表示部と同数のＭであり、列の数が所定の数で構成される１又は複数のドットマトリクスで構成されているようにしたので、第１のドットマトリクス表示部において所定の文字とともに表示される数字の１と同様に、第２の表示部でもドットマトリクスで数字を表示することができ、第１の表示部と第２の表示部とにより、違和感なく数字を表示することができるという効果がある。
【００１３】
また、前記Ｎは５であり、前記第１表示データは、Ｍ行４列又はＭ行５列のドットマトリクスで前記所定の文字を表したデータであり、前記第２表示データは、Ｍ行３列のドットマトリクスで表した所定の文字と、Ｍ行１列のドットマトリクスで表したスペースと、Ｍ行１列のドットマトリクスで表した数字の１とを左側から順次並べたデータであるようにしたので、第２表示部に表示される区間番号等の数値が桁上げされたときに、第１表示部に計測値の種類を示す文字とともに数字１を表示することができるという効果がある。
【００１４】
また、前記表示装置は、さらに、外部操作部材を有し、前記演算手段は、前記外部操作部材による所定の操作が行われたときの操作回数を演算する演算手段であり、前記演算手段の計数値を前記第２表示部に表示するようにしたので、外部操作部材を操作して第２表示部に測定区間の区間番号等の操作回数を表示することができるという効果がある。
【００１５】
また、前記表示装置は、さらに、所定の情報を計測する計測手段と、前記外部操作部材によって前記所定の操作が行われたときに前記計測手段が計測した計測値と、前記演算手段が演算した操作回数とを対応付けて記憶する記憶手段と、前記計測値を表示する計測値表示部とを有するようにしたので、スプリットタイム又はラップタイム等の計測値を当該区間番号等と対応させて表示させることができるという効果がある。
【００１６】
また、前記表示装置は、前記第１表示部及び前記第２表示部で、前記演算手段が演算した前記操作回数以外の情報を表示するモードを有するようにしたので、曜日その他の情報を表示させることができるという効果がある。
【発明を実施するための最良の形態】
【００１７】
以下、本発明の最良の実施の形態を図面に基づいて詳細に説明する。図１は本発明の実施の形態である電子腕時計の平面図、図２は本発明の実施の形態である電子腕時計の図１の表示部を示す平面図、図３は本発明の実施の形態である電子腕時計のシステム構成図、図４は本発明の実施の形態である電子腕時計の動作を説明する表示部の平面図である。
【００１８】
まず、本発明の実施の形態の構成について図１を参照して説明する。図１において、腕時計１は、１００個のスプリットタイム及びラップタイムを記憶することができるクロノグラフ機能付ソーラーデジタル腕時計である。この腕時計１のケース２には外部操作部材１０として、左側面部にはモード切替ボタン（以下Ｍボタンと略称す）１１、右側面部にはスタート／ストップボタン（以下Ｓボタンと略称す）１２及びラップ／スプリット／リセットボタン（以下Ｌボタンと略称す）１３を備えている。表示装置２０には、図２に示すように、左上にドットマトリクス表示部２１、右上と中央にセグメント表示部２２、そして左下にモード表示部２３が配設されている。
【００１９】
ドットマトリクス表示部２１は、５行５列のドットマトリクスから成る文字又は数字を表示可能な１桁の第１表示部２１ａと、第１表示部２１ａの右側に並べて配置した５行４列及び５行５列のドットマトリクスから成る文字又は数字を表示可能な２桁の第２表示部２１ｂとから成る表示手段である。セグメント表示部２２は、右上に配設した第１セグメント表示部２２ａと中央に配設した第２セグメント表示部２２ｂとから成る何れも７セグメント形式の表示手段である。モード表示部２３は、クロノアイコン２３ａとメモリーコールアイコン２３ｂとから成る表示部である。
【００２０】
ドット表示部２１がこのように変則的なドット配列にしてあるのは、後述するように曜日のＷＥＤやＭＯＮを表示させ、また、時刻カレンダーモードにおいて時刻修正をするときに、サマータイム状態を表すためにＳＵＭの表示をさせるなど、１桁目あるいは３桁目に「Ｍ」などの表示をする必要があるからであり、定められたＩＣの能力の範囲内で、なるべく回路構成を変えずに、また配線本数を増やさずに、最小ドット数でこのような表示を可能としている。
【００２１】
図３に示すように、この腕時計１のシステム構成としては、上述した構成の他に以下に述べるものがある。即ち、基準信号発生装置３０は発信回路３１と分周回路３２とを有する。情報発生手段４０は、年月日、時分秒、曜日などの時刻情報を発生させる時刻情報発生回路４１と、クロノモードにおいて刻々の計測時間を計測し出力するとともに、Ｌボタ
ン１３が操作されたときの計測値をスプリットタイム及びラップタイムとして出力する計測手段４２と、Ｌボタン１３を操作した回数を演算して、スプリット番号やラップ番号として出力する演算手段４３と、スプリットタイム及びラップタイムをＬボタン操作回数に対応付けて記憶する計測情報記憶手段４４と、Ｍボタン１１及びＬボタン１３の出力信号に基づいてモード切替信号を情報発生手段４０及び表示制御手段５０に出力し、時刻カレンダーモード、クロノモード及びメモリーコールモードに切替制御するモード制御手段４５とを有する。
【００２２】
表示制御手段５０は、時刻情報及び計測情報に基づいて、記憶手段６１の記憶データから表示装置２０に表示させるのに必要なデータを指定する。表示駆動手段６０は、記憶手段６１と駆動回路６２とを有し、表示制御手段５０によって指定された表示データに基づいて表示装置２０に駆動信号を出力する。記憶手段６１には記憶データとして、５行５列のドットマトリクス内に何れの測定モードであるかを示す所定の文字であるスプリットの場合は「Ｓ」、ラップの場合は「Ｌ」の文字を表示するための第１表示データ、所定の文字である「Ｓ」又は「Ｌ」の文字と数字の「１」とを並べて同時に「Ｓ１」又は「Ｌ１」として表示するための第２表示データ、その他の表示データであるドット表示部２１用の「０〜９」「Ｕ、Ｎ、Ｍ、Ｏ、Ｗ、Ｅ、Ｄ、Ｈ、Ｕ、Ｆ、Ｒ、Ｉ、Ａ、Ｓ、Ｔ」、セグメント表示部２２用の「０〜９」、その他の表示用のコロン、アイコン等の表示に必要な全てのキャラクターデータを含んでいる。
【００２３】
基準信号発生装置３０の出力端子は情報発生手段４０の時刻情報発生回路４１及び計測手段４２の各々の入力端子と接続され、時刻情報発生回路４１の出力端子及び計測手段４２の刻々の計測値を出力する出力端子はそれぞれ表示制御手段５０の入力端子と接続されている。外部操作部材１０のＭボタン１１及びＬボタン１３の出力端子はモード制御手段４５の入力端子と接続されており、モード制御手段４５の出力端子及びＳボタン１２の出力端子は計測手段４２、演算手段４３、計測情報記憶手段４４及び表示制御手段５０の各々の入力端子と接続されている。計測手段４２の計測値であるスプリットタイム及びラップタイムを出力する出力端子は計測情報記憶手段４４の入力端子と接続されている。表示制御手段５０の出力端子は記憶手段６１の入力端子と接続され、記憶手段６１の出力端子は駆動回路６２の入力端子と接続され、駆動回路６２の出力端子は表示装置２０の入力端子と接続されている。
【００２４】
次に、腕時計１の動作について、図４を参照しながら説明する。
図４は、Ｌ、Ｍ、Ｓの各ボタン１１、１２、１３を操作したときの表示装置２０の画面の変遷を示す。それぞれの画面に符号Ａ〜Ｐを付して区別をする。ただし、符号Ｌ、Ｍ、Ｓは、Ｌ、Ｍ、Ｓの各ボタンが操作されたことを示す。また、図４においては、左側に時刻カレンダーモードの画面を表し、中央の縦２列にクロノモードの画面を表し、右の縦１列にメモリーコールモードの画面を表す。さらに、クロノモードの左側の１列の画面はスプリットモードを表し、右側の１列の画面はラップモードを表す。
【００２５】
まず基本の状態として、時刻カレンダーモードＡがあり、このモードにおいて、基準信号発生装置３０の発生する基準信号により、情報発生手段４０の時刻情報発生回路４１から時刻情報（月、日、曜日、時、分、秒）を出力する。演算手段４３は動作せず、計測手段４２と計測情報記憶手段４４とは裏でストップウォッチが走っている場合だけ動作する。表示制御手段５０が時刻情報に基づいて記憶手段６１の記憶データから表示装置２０に表示されるのに必要なデータを指定する。その結果として、表示装置２０には演算手段４３が演算したＬボタン１３の操作回数以外の情報として、Ａに示すように、曜日の文字が３桁のアルファベット（例えば月曜のＭＯＮ）でドット表示部２１に表示され、月、日（例えば１月１４日）が第１セグメント表示部２２ａに表示され、現在時刻（例えば午前６時３４分００秒）が第２セグメント表示部２２ｂに表示される。裏でストップウォッチが
走っている時にはクロノアイコン２３ａが点灯する。
【００２６】
時刻カレンダーモードＡからＭボタン１１を１回押す操作により、腕時計１はクロノモードＢ又はＧに切り替わる。このモードにおいて、時刻情報発生回路４１から時刻情報が出力され、計測手段４２がＳボタン１２の操作で計測を開始し、刻々の計測時間を出力する。Ｌボタン１３が操作されるとその都度（Ｄ−Ｆ，Ｉ−Ｋ）、計測手段４２が計測した計測値であるラップ情報又はスプリット情報を出力する。演算手段４３はＬボタン１３が操作された回数を演算して出力する。計測情報記憶手段４４が計測手段４２から出力されるラップ情報及びスプリット情報と演算手段４３から出力される計数値とを対応付けて記憶する。表示制御手段５０が時刻情報発生回路４１、計測手段４２及び計測情報記憶手段４４から出力される情報に基づいて、表示装置２０に表示させるために必要なデータを指定する。記憶手段６１が表示制御手段５０によって指定されたデータを出力する。駆動回路６２が記憶手段６１から出力される表示データに基づいて表示装置２０を駆動する。
【００２７】
クロノモードに切り替わると、第１セグメント表示部２２ａには現在時刻が表示される。そのときクロノが停止していれば、モード表示部２３のクロノアイコン２３ａは消灯し、ストップウォッチの表示は優先的にスプリットタイム測定モードＢになる。クロノモードに切り替わったときに、クロノがラップタイム測定モードでかつスタート直後Ｈであれば、クロノアイコン２３ａが点灯して、ドット表示部２１の第１表示部２１ａにはラップを示す文字「Ｌ」が表示され、第２表示部２１ｂには演算手段４３で演算された計数値であるＬボタン１３の操作回数、即ち区間番号に相当する数値（この場合００）が表示される。クロノモード切替時に、ストップウォッチが既にあるラップ測定区間を過ぎて計測中Ｄであれば、第１表示部２１ａにはラップ区間番号が、第２セグメント表示部２２ｂにはその測定区間のラップタイムが表示される。ここでＳボタン１２を押すとクロノ動作が停止し、クロノアイコン２３ａが消灯して、引き続いてＬボタン１３を押すことにより、区間番号及び計測時間表示がリセットされて、Ｇに示すように新たなラップタイム測定準備状態となる。このとき、計測情報記憶手段４４に記憶されていた計測値は、クロノがスタートし、次にＬボタン１３が押されて新たな計測値が記憶されるまでは維持される。
【００２８】
なお、クロノモードに切り替わったときに、ストップウォッチがスプリットタイム測定モードで走っている間（Ｄ−Ｆ）は、ドット表示部２１の第１表示部２１ａにはスプリットタイム測定区間を示す文字「Ｓ」が表示され、第２表示部２１ｂにはＬボタン１３の操作回数即ち区間番号を示す数値が表示されている。そこで、Ｓボタン１２、引き続いてＬボタン１３を押してリセットすれば、Ｂに示す新たなスプリットタイム測定準備状態となる。スプリットタイム測定準備状態Ｂからは、Ｌボタン１３を長押しすることによっても、Ｇに示すようにラップタイム測定準備状態に移行することができる。また、ラップタイム測定準備状態ＧでＬボタン１３を長押しすれば再びスプリットタイム測定準備状態Ｂに戻すことができる。
【００２９】
Ｂ又はＧに示すクロノ停止状態からＳボタン１２を押すことにより、Ｃ又はＨに示すように、ストップウォッチの計測が始まる。この状態からＬボタン１３を押すと同時に、演算手段４３で演算されたＬボタン１３の操作回数即ち区間番号を示す数値（Ｓ０１又はＬ０１）に対応付けてスプリットタイム又はラップタイムが計測情報記憶手段４４に記憶される。また、同時に、Ｄ又はＩに示すように、ドット表示部２１にＳ０１又はＬ０１が、第２セグメント表示部２２ｂに１回目の計測時間であるスプリットタイム（例えば１２秒５４）又はラップタイム（例えば１２秒５４）が表示される。
【００３０】
以下、Ｌボタン１３を押す毎に、順次スプリット区間番号（又はラップ区間番号）がＳ０２（又はＬ０２）、Ｓ０３（又はＬ０３）・・・と切り替わると同時にそのときのスプリットタイム（又はラップタイム）が所定の表示部に表示される。９９回目のＬボタン１
３の操作により、Ｅ又はＪに示すように、Ｓ９９又はＬ９９とスプリットタイム（５０秒９６）又はラップタイム（０秒９８）が表示される。第１表示データである「Ｌ」や「Ｓ」は、図４では５行４列のドットマトリクスを用いて表しているが、５行５列のドットマトリクスを用いて表してもよい。
【００３１】
更に、１００回目のＬボタン１３の操作により、Ｆ，Ｋに示すように、ドット表示部２１の第１表示部２１ａには５行３列のドットマトリクスで表した所定の文字「Ｓ」又は「Ｌ」と、５行１列のドットマトリクスで表したスペースと、５行１列のドットマトリクスで表した数字の「１」とを左側から順次並べた第２表示データである「Ｓ１」又は「Ｌ１」が表示され、第２表示部２１ｂには１００の最上位桁の１を除いた００が表示され、Ｓ１００のスプリットタイム（１分７秒３２）又はＬ１００のラップタイム（０秒９８）が第２セグメント表示部２２ｂに表示される。これ以上の計測をしようとＬボタン１３を押しても、メモリ容量の制限からドット表示部２１にはＦＵＬと表示されて（図示を省略する）計測できないことを示す。その間、クロノは走り続けるのでＳボタン１２の操作によって停止させる。特にメモリ容量の制限がなければ、スプリットタイムやラップタイムの計測回数の上限を１００回にしなくてもよい。例えば、第１セグメント表示部２２ａに「Ｓ１」又は「Ｌ１」を表示し、第２セグメント表示部２２ｂに「０１」〜「９９」を表示することにより、第１セグメント表示部２２ａと第２セグメント表示部２２ｂにより、「Ｓ１００」〜「Ｓ１９９」や「Ｌ１００」〜「Ｌ１９９」を表示するようにして、スプリットタイムやラップタイムの計測回数の上限を１９９回としてもよい。
【００３２】
クロノモードでの測定が終了後、Ｍボタン１１を押してメモリーコールモードに切り替えると、時刻情報発生回路４１が時刻情報を出力する。計測手段４２は動作しない。演算手段４３がＬボタン１３の操作回数を演算して出力する。計測情報記憶手段４４は、演算手段４３から出力される計数値に対応付けられた情報（ラップモードのときはラップ情報、スプリットモードのときはスプリット情報）を出力する。表示制御手段５０が、時刻情報発生回路４１及び計測情報記憶手段４４から出力される情報に基づいて記憶手段６１の記憶データから表示装置２０に表示させるのに必要なデータを指定する。
【００３３】
その結果、メモリーコールアイコン２３ｂが点灯する。クロノモードでスプリットタイムを測定していた場合には、スプリットタイムモードに切り替わる。Ｎに示すように、スプリット番号（Ｓ０１など）と共にスプリットタイムを表示する。スプリットタイムは、計測情報記憶手段４４から順次呼び出して、Ｎ、・・・Ｏ、Ｐのように、第２のセグメント表示部２２ｂに表示させる。スプリット番号は１ずつ増加していく。ラップタイムを測定していた場合には、ラップタイムモードに切り替わり、ラップナンバー（Ｌ０１など）と共にラップタイムを表示する。この場合の動作は、上記のスプリットタイムモードと同様に行われる。１００個目のデータを呼び出した後、Ｌボタン１３を押して１個目のデータを呼び出すことができる。メモリーコールモードからＭボタン１１を操作することにより、時刻カレンダーモードＡに戻すことができる。
【００３４】
次に、本発明の実施の形態である腕時計１の効果について説明する。腕時計１の表示装置２０は、５行５列のドットマトリクスで構成される第１表示部２１ａと、第１表示部２１ａの右側に並べて配置し、２桁の数字を表示可能な第２表示部２１ｂとを有するドット表示部２１と、第２表示部２１ｂに表示する数値を演算する演算手段４３と、５行５列のドットマトリクスを用いて所定の文字「Ｓ」又は「Ｌ」を表示するための第１表示データを記憶する記憶手段６１と、表示装置２０を駆動する表示駆動手段６０とを有し、第１表示部２１ａに前記所定の文字を表示すると同時に第２表示部２１ｂに演算手段４３が演算した数値を表示する表示装置２０であって、前記記憶手段６１に、さらに、前記５行５列のドットマトリクス内に前記所定の文字と数字の「１」とを並べて同時に「Ｓ１」又は「Ｌ１」として表示するための第２表示データを記憶させ、演算手段４３が演算した数値が
、２桁以下のときには、第１表示部２１ａに前記第１表示データを表示するとともに、演算手段４３が演算した数値を第２表示部２１ｂに表示し、演算手段４３が演算した数値が、２桁を超えて桁上げされたときには、第１表示部２１ａに「Ｓ１」又は「Ｌ１」を表示するとともに、演算手段４３が演算した最上位の１桁を除く２桁の数値「００」を第２表示部２１ｂに表示させるように表示駆動手段６０を制御する表示制御手段５０を設けたので、表示部の桁数を増やさずに、文字「Ｓ」あるいは「Ｌ」とともに、数値１００を表示させることができた。
すなわち、第１表示部２１ａの一部を有効に利用して、所定の文字とともに数字の１を表示することにより、第１表示部２１ａのドット数や、第２表示部２１ｂの桁数を増やさずに、演算手段４３が演算した数値を１桁増やして表示することができた。
【００３５】
以上説明した実施の形態では、第２表示部２１ｂをドットマトリクス表示部としているが、これを例えばセグメント表示部としてもよい。また、第２表示部２１ｂの桁数を２桁としているが、これが１桁あるいは任意の複数桁であってもよい。また、第１表示部２１ａは、５行５列のドット配列に限らず、Ｍ行Ｎ列（Ｍ，Ｎは整数）のドット配列としても良い。ＭとＮの数は、例えば、いずれかを５より大きな整数にするなど、第１表示部２１ａに所定の文字とともに数字の１が表示できる範囲で増減することができる。
【図面の簡単な説明】
【００３６】
【図１】本発明の実施の形態であるデジタル電子腕時計の平面図である。
【図２】図２は図１の表示部の詳細を示す平面図である。
【図３】本発明の実施の形態である腕時計のシステム構成図である。
【図４】本発明の実施の形態である腕時計の動作を説明する表示部の平面図である。
【符号の説明】
【００３７】
１  腕時計
１０  外部操作部材
１３  Ｌボタン
２０  表示装置
２１  ドット表示部
２１ａ  第１表示部
２１ｂ  第２表示部
４２  計測手段
４３  演算手段
４４  計測情報記憶手段
５０  表示制御手段
６０  表示駆動手段
【図１】
2009198907.tif 000003
【図２】
2009198907.tif 000004
【図３】
2009198907.tif 000005
【図４】
2009198907.tif 000006